(57)【特許請求の範囲】
【請求項１】
有底容器状に形成されたベース部の周壁の開口端にカバー部が接合されて成り、内部に記録テープが巻装されたリールまたは円盤状のディスクメディアを回転可能に収容する中空のケースであって、
前記ベース部の周壁に設けられ、該周壁の外面及び前記開口端側に開口する凹部と、
前記カバー部の前記ベース部との接合側に突設され、前記凹部に入り込み該凹部の一部を閉塞する閉塞部と、
前記閉塞部の内面側に設けられ、前記凹部における前記ケース側方を向く底面に当接するリブと、
を備えたケース。
【発明の詳細な説明】
【０００１】
【発明の属する技術分野】
本発明は、例えば、磁気テープ等の記録テープが巻装されたリールや円盤状のディスクメディアを収容するケースに関する。
【０００２】
【従来の技術】
例えば、情報のバックアップ用等、コンピュータ等の外部記録媒体として磁気テープ等の記録テープが用いられている。この記録テープとして、保存時の収容スペースが小さく、大容量の情報が記録できる、記録テープが巻装された単一のリールをケース内に収容する記録テープカートリッジが採用されている。
【０００３】
この記録テープカートリッジでは、それぞれ樹脂材料にて成形されたベース部またはカバー部としての上ケースとカバー部またはベース部としての下ケースとの接合より成るケース内に、記録テープを巻装した単一のリールが回転可能に収容されている。このケースには、ドアによって開閉される記録テープ引出用の開口が形成されている。
【０００４】
そして、記録テープカートリッジは、使用に際してドライブ装置へ装填され、当該ドライブ装置内においてドアが操作され開口が開放されると共に正確に位置決めされる。この状態で記録テープは、ケースから引き出され、ドライブ装置の巻取リールに巻き取られつつ情報の記録や再生が行われるようになっている。
【０００５】
また、大規模なバックアップシステムにおいては、一般的に記録テープカートリッジは、複数の記録テープカートリッジを収容して記録テープカートリッジを自動的に（人手を介在させないで）ドライブ装置に着脱するライブラリ装置で使用されるようになっている。このようなライブラリ装置では、記録テープカートリッジは、それぞれホルダ部に位置決め状態で収容され、使用に際して、例えばチャッキング機構等によって把持されつつ搬送されドライブ装置へ装填される。一方、使用後は、チャッキング機構等によって把持されつつ搬送されホルダ部へ収容される。
【０００６】
【発明が解決しようとする課題】
ところで、上記のような記録テープカートリッジでは、ドライブ装置内やホルダ部内で位置決め（姿勢規制）されたり、チャッキング機構等によって確実に把持されたりするために、ケースに複数の凹部や有底孔（以下、凹部等という）が設けられている。これらの凹部等は、その機能（使用目的）によって設置位置、寸法形状、開口方向がそれぞれ異なる。
【０００７】
一方、ドライブ装置やライブラリ装置においても、機種や仕様によって記録テープカートリッジの位置決め方法、把持方法、搬送方法等が異なる場合がある。このため、複数種類（仕様）のドライブ装置やライブラリ装置に対応するためには、ケースにはより多くの凹部等が必要となる。また、凹部等の誤使用（例えば、対応しないライブラリ装置の位置決め部材や搬送ローラ等が入り込み、適正な動作を妨げるような状態の発生）を防止するために、凹部等によっては設置位置、寸法形状、開口方向が他の凹部等との関係で規制される場合がある。
【０００８】
そして、ケースの外面に開口する方向が規制され、ケースの側方（ケースの周壁の外面）のみに開口する凹部または有底孔を設ける場合がある。この場合でも、例えば、凹部が、上ケースの周壁に側方及び下方に開口して設けられた上凹部と、下ケースの周壁に側方及び上方に開口して設けられた下凹部との接合により形成される構造であれば、上ケース及び下ケース共に成形時の型抜きに問題はないが、凹部が上ケースと下ケースとの接合部に対し何れか一方側に位置する場合には問題がある。
【０００９】
すなわち、例えば、ベース部としての下ケースの周壁に側方にのみ開口する凹部を設けようとすると、この下ケースにはアンダーカット部が形成されるため、凹部の成形にスライドコアを使用する必要があり、金型構造が複雑化し高コストの原因となる。
【００１０】
そして、磁気テープの巻出し及び巻取り用のリールを備えた２リールの記録テープカートリッジのケース、円盤状のディスクメディアを回転可能に収容したディスクカートリッジのケース等、ベース部の周壁の開口端にカバー部が接合されて成るケース一般において、周壁の外面にのみ開口した凹部等を設けようとすると、同様の問題がある。
【００１１】
本発明は上記事実を考慮して、ベース部の周壁にカバー部との接合部位と離間して設けられ該周壁の外面にのみ開口する凹部を、ベース部にアンダーカット部を設けることなく形成できる構造のケースを得ることが目的である。
【００１２】
【課題を解決するための手段】
上記目的を達成するために請求項１記載の発明に係るケースは、有底容器状に形成されたベース部の周壁の開口端にカバー部が接合されて成り、内部に記録テープが巻装されたリールまたは円盤状のディスクメディアを回転可能に収容する中空のケースであって、前記ベース部の周壁に設けられ、該周壁の外面及び前記開口端側に開口する凹部と、前記カバー部の前記ベース部との接合側に突設され、前記凹部に入り込み該凹部の一部を閉塞する閉塞部と、前記閉塞部の内面側に設けられ、前記凹部における前記ケース側方を向く底面に当接するリブと、を備えている。
【００１３】
請求項１記載のケースは、有底容器状に形成されたベース部の周壁の開口端にカバー部が接合されて中空に形成される。この接合によって、ベース部の凹部にはカバー部の上記接合側に突接された閉塞部が入り込む。
【００１４】
これにより、閉塞部が凹部の一部を閉塞し、ケースの周壁の外面（ケースの側方）にのみ開口した凹部（有底孔）が形成される。換言すれば、ベース部とカバー部との接合部位（パーティングライン）と離間して位置し、ケースの側方にのみ開口した凹部が形成される。
【００１５】
ここで、ベース部に設けられた凹部は、開口端側（カバー部との接合側）にも開口しているため、換言すれば、該凹部は開口端側から型抜きして形成できるため、該凹部が設けられたベース部は、アンダーカット部がなく、スライドコアを用いることなく成形できる。
【００１６】
このように、請求項１記載のケースでは、ベース部の周壁にカバー部との接合部位と離間して設けられ該周壁の外面にのみ開口する凹部を、ベース部にアンダーカット部を設けることなく形成できる。
【００１７】
また、カバー部に設けられた閉塞部が上記凹部の一部を閉塞するため、ケースの側方にのみ開口した凹部（有底孔）を所望の位置に所望の寸法形状で設けることができる他、例えば、閉塞部の形状を変更する（すなわち、カバー部成形用の金型を変更する）ことで凹部の開口高や開口幅（所定の基準部に対する位置）を変更することができる。さらに、前記凹部のケース側方を向く底面に当接するリブを前記閉塞部の内面に設けたため、リブが凹部の上記底面に当接するためケースの強度が確保される。この構成は、凹部の周壁外面から上記底面までの深さが周壁の板厚よりも大である場合に特に好適である。さらに、ケースの強度を確保するために閉塞部を厚肉化する必要がないため、閉塞部を厚肉化した場合に懸念される閉塞部外面（ケースのデザイン面）の引け（シンクマーク）発生が防止される。
【００１８】
このケースの構造を適用した例として、記録メディアカートリッジは、上ケースと下ケースとが互いの周壁を突き当てて接合され、記録テープが巻装されたリールまたは円盤状のディスクメディアを回転可能に収容するケースと、前記上ケース及び下ケースの何れか一方の周壁に設けられ、該周壁の外面及び他方との接合側に開口する凹部と、前記他方の周壁に沿って延設され、前記凹部に入り込み該凹部の一部を閉塞する閉塞部と、を備えた構成とすることができる。
【００１９】
この構成の記録メディアカートリッジでは、上ケース及び下ケースの何れか一方が上記ベース部に相当し、他方が上記カバー部に相当する。そして、記録テープを巻装したリールまたはディスクメディアの上下から上ケースと下ケースとが互いに周壁（開口端）を突き当てて接合され、ケース内に上記リールを収容して構成される。
【００２０】
この接合によって、上ケース及び下ケースの何れか一方に設けられた凹部には、他方との接合側に開口した部分から該他方の周壁に沿って延設された閉塞部が入り込む。これにより、閉塞部が凹部の一部を閉塞し、ケースの周壁の外面（ケースの側方）にのみ開口した凹部（有底孔）が形成される。換言すれば、上ケースと下ケースとの接合部（パーティングライン）に対し何れか一方側に位置し、ケースの側方にのみ開口した凹部が形成される。
【００２１】
ここで、上ケース及び下ケースの何れか一方に設けられた凹部は、他方（相手方）との接合側にも開口しているため、該凹部が設けられた何れか一方は、アンダーカット部がなく、スライドコアを用いることなく成形できる。このように、本構成の記録メディアカートリッジでは、上ケースと下ケースとの接合部の一方側に位置しケースの側方にのみ開口した凹部を、アンダーカット部を設けることなく形成できる。
【００２４】
また、閉塞部が凹部に嵌合する（凹部と閉塞部との隙間が小さい）構成とすれば、例えば、落下等によってケースに衝撃が加えられても、凹部と閉塞部とが互いに干渉し合ってケースの捩れ等の変形を抑制し、ベース部とカバー部との接合部位における隙間等の発生が抑制される。特に、閉塞部や閉塞部に設けたリブが凹部のケース側方を向く底面に当接する構成では、ケースの落下時に互いに干渉し合う部分が増加し、落下等による上記接合部位における隙間等の発生が一層好適に抑制される。
【００２５】
【発明の実施の形態】
本発明の実施の形態に係るケースの構造が適用された記録テープカートリッジ１０について、図１乃至図７に基づいて説明する。先ず、記録テープカートリッジ１０の概略全体構成を説明し、次いで、本発明の要部である凹部６４、７６と閉塞片７０、８０とによって形成される係合孔６０、６２について説明する。
【００２６】
なお、説明の便宜上、矢印Ａで示す記録テープカートリッジ１０のドライブ装置への装填方向を記録テープカートリッジ１０の前方向（前側）とし、矢印Ａと直交する矢印Ｂ方向、矢Ｃ方向をそれぞれ右方向、左方向とする。
（記録テープカートリッジの全体構成）
これらの図に示される如く、記録テープカートリッジ１０は、平面視で略矩形状のケース１２内に、情報記録再生媒体である記録テープとしての磁気テープＴを巻装した単一のリール１４を回転可能に収容して構成されている。
【００２７】
ケース１２は、ドライブ装置への装填方向先頭側の１つの角部である右前角部がそれぞれ切り欠かれた一対の上ケース１６と下ケース１８とを互いの周壁１６Ａ、１８Ａを突き合せて接合することで構成されており、内部に磁気テープＴを巻装したリール１４の収容空間が設けられている。そして、上ケース１６及び下ケース１８の周壁１６Ａ、１８Ａ、天板１６Ｂ、底板１８Ｂが切り取られた上記右前角部が磁気テープＴの引き出し用の開口２０とされている。
【００２８】
この開口２０から引き出される磁気テープＴの自由端には、ドライブ装置の引出手段によって係止（係合）されつつ引き出し操作されるリーダピン２２が接続されている。リーダピン２２の磁気テープＴの幅方向端部より突出した両端部には、環状溝２２Ａが形成されており、この環状溝２２Ａが引出手段のフック等に係止される。これにより、磁気テープＴを引き出す際に、フック等が磁気テープＴに接触して傷付けない構成である。
【００２９】
また、ケース１２の開口２０の内側には、ケース１２内においてリーダピン２２を位置決め、保持する上下一対のピン台２４が設けられている。ピン台２４は、半円筒形状をしており、その凹部２４Ａに直立した状態のリーダピン２２の両端部が保持される。そして、ピン台２４の外周壁の磁気テープＴ引き出し側は開放しており、リーダピン２２が出入りする出入り口となっている。
【００３０】
ピン台２４の近傍には板ばね２５が固定配置されており、この板ばね２５がリーダピン２２の上下端部に係合してリーダピン２２をピン台２４に保持するようになっている。リーダピン２２がピン台２４に出入りする際には、板ばね２５は適宜弾性変形してリーダピン２２の移動を許容する構成である。
【００３１】
さらに、下ケース１８の底板１８Ｂの中央部には、リール１４の図示しないリールギヤを外部に露出するためのギヤ開口２６が設けられており、リール１４はリールギヤがドライブ装置の駆動ギヤに噛合わされてケース１２内で回転駆動されるようになっている。また、リール１４は、上ケース１６の天板１６Ｂ及び下ケース１８底板１８Ｂの内面にそれぞれ互いに対称に立設されてギヤ開口２６と同軸的な円形の軌跡上にある（一部切り欠かれた短円筒状の）内壁としての遊動規制壁２８によってガタ付かないように保持されている。遊動規制壁２８は、開口２０の近傍では切り欠かれている。
【００３２】
この遊動規制壁２８の開口２０近傍の端部には、内部に位置規制用孔が形成された袋部２８Ａが連設されている。また、ケース１２の左前角部の内側においては、長孔である位置規制用孔が形成された袋部２８Ｂが遊動規制壁２８に連設されている。袋部２８Ａ、２８Ｂは、左右（矢印Ｂ、Ｃ）方向に沿った一直線上に配置されている。
【００３３】
また、ケース１２の前壁１２Ａ（周壁１６Ａ、１８Ａのうち、外面が矢印Ａ方向を向く部分）の右端部には、開口２０の前縁部を規定する上下一対の短い傾斜壁部３０が設けられている。傾斜壁部３０は、開口２０の開放面に沿って屈曲されると共に前壁１２Ａよりも厚肉化されており、その厚み方向の中央部には後述するドア５０の先端が入り込む凹部３０Ａが形成されている。また、傾斜壁部３０の左方近傍における前壁１２Ａ内側には、上下一対のビスボス３２が連設されている。
【００３４】
一方、ケース１２の右壁１２Ｂ（周壁１６Ａ、１８Ａのうち、矢印Ａ方向に沿った右側の壁）の前端部には、矢印Ａ方向に直交して内方に延設された上下一対の屈曲壁部３４が連設されている。この屈曲壁部３４が開口２０の後縁を規定している。また、屈曲壁部３４の先端には上下一対のビスボス３６が連設されており、このビスボス３６の外周部はドア５０と摺動可能なドア５０の案内（ガタつき防止）用としても機能する。屈曲壁部３４と右壁１２Ｂとの連設部分は、開口２０の開放面に沿って傾斜された上下一対の傾斜段部３８とされている。
【００３５】
屈曲壁部３４後方の右壁１２Ｂには、ケース１２の内外を連通する窓部としての所定長さのスリット４０が設けらており、後述するドア５０の操作突起５２の露出用とされている。スリット４０は、右壁１２Ｂを構成する周壁１６Ａの下部を切り欠いて形成され、上ケース１６の傾斜段部３８の下部をも切り欠くことで前方へも開口されている。すなわち、スリット４０の下端部は、下ケース１８の周壁１８Ａ及び傾斜段部３８の上端面によって規定されている。これにより、スリット４０は、上ケース１６と下ケース１８との突き当て部であるパーティングラインＰＬよりも上方に位置し、該パーティングラインＰＬよりも上方に位置するセルリテンションノッチ５８（後述）に対応すると共に、後述する駆動ローラ１２２が進入不能な構成である。
【００３６】
また、屈曲壁部３４後方（スリット４０の前部）における右壁１２Ｂには、ケース１２の内方（左方）に突出した上下一対の凸部４２が全高に亘って連設されており、その端面が後述するドア５０の外面に対応して湾曲している。一方、上下の遊動規制壁２８の凸部４２に対応する位置には、それぞれドア５０の内面に対応して湾曲し凸部４２と対向する凸部４４が全高に亘って設けられている。凸部４２と凸部４４とは、ドア５０が開口２０を開閉する際に該ドア５０を挟むようにこれと摺動可能になっており、ケース１２内への塵埃侵入防止用及びドア５０の案内（ガタつき防止）用とされている。
【００３７】
さらに、スリット４０の後端を規定する右壁１２Ｂ（周壁１６Ａ、１８Ａ）の部分にもケース１２の内方に突出した凸部４６が全高に亘って設けられており、ケース１２内への塵埃侵入防止用及びドア５０の案内（ガタつき防止）用とされている。さらにまた、ケース１２の凸部４６の後方には、ケース１２の内方に突出し後述する係合孔６０形成用の上下一対の凸部４８が全高に亘って設けられており、各凸部４８におけるドア５０の外面に対応して湾曲された一部が、開口２０を開閉する際にドア５０の外面が摺動可能なドア５０案内（ガタつき防止）用の案内面４８Ａとされている。
【００３８】
以上説明した上ケース１６と下ケース１８とは、周壁１６Ａと周壁１８Ａとが同等の高さとされており、この周壁１６Ａと周壁１８Ａとが互いの開口端を突き当てて接合される。この状態で、接合開口２０の縁部の近傍に位置する各ビスボス３２、３６及びケース１２の適宜位置に設けられた図示しない他のビスボスに下側から図示しないビスがねじ込まれて、上ケース１６と下ケース１８とが固定（上記接合が維持）され中空のケース１２が形成される構成である。これによって、開口２０両端のコーナー部は強固に接合され、落下強度が確保される構成である。なお、ビスボス３２、３６に相当する位置にそれぞれ設けられた突起と嵌合孔とを互いに嵌合させ他の部分でビス止めしても良く、周壁１６Ａ、１８Ａの付き当て部（接合部）を超音波溶着等によって溶着固定しても良い。
【００３９】
また、開口２０の開放面の矢印Ａ方向に対する傾斜角（開口２０の上下を規定するケース１２の天板１６Ｂ及び底板１８Ｂの傾斜角）は、後述するライブラリ装置９０における記録テープカートリッジ１０の識別（認識）の要求に応じて決められており、この傾斜角に応じて（または、傾斜の有無によって）ライブラリ装置９０が記録テープカートリッジ１０の世代や記録容量等を認識できる構成である。
【００４０】
以上説明したケース１２の開口２０は、遮蔽部材としてのドア５０によって開閉されるようになっている。ドア５０は、その板幅（高さ）が開口２０の開口高とほぼ同一とされると共にその板長が開口２０の開口幅よりも十分大きくされ、所定の円周に沿って板厚方向に湾曲した平面視円弧状に形成されている。
【００４１】
具体的には、ドア５０は、その先端部が傾斜壁部３０の凹部３０Ａに入り込んだ状態で開口２０を閉塞し（図７（Ａ）参照）、上記円周に沿って略後方へ移動（回動）して開口２０を開放し（図７（Ｂ）参照）、その先端近傍の外周面がビスボス３６近傍に達すると開口２０を完全に開放する（図７（Ｃ）参照）構成である。また、ドア５０は、開口２０を開放する際と略反対方向に回動して開口２０を閉塞するようになっている。
【００４２】
すなわち、ドア５０は、その移動軌跡である所定の円周に対応した円弧状に湾曲形成されている。このドア５０の回動中心は、本実施の形態では、その左右方向の位置がケース１２の左端近傍に、その前後方向の位置がスリット４０の後端近傍に設定されている。なお、ドア５０の回転中心及び半径は、ドライブ装置からの要求により決まる開口２０前後の縁部（傾斜壁部３０及びビスボス３６）の位置やライブラリ装置からの要求により決まる開口２０の開放面の角度等に応じて適宜決められれば良い。
【００４３】
また、ドア５０の湾曲した長手寸法は、その後端部が開口２０の閉塞状態においてケース１２の凸部４８よりも後方の右後角部内に位置するように決められている。これにより、ドア５０は、開口２０を開閉する全過程で、ケース１２のビスボス３６、凸部４２、４４、４６、案内面４８Ａ（及び遊動規制壁２８）に案内され（ガタを規制され）るようになっている。
【００４４】
このドア５０の長手方向中央部よりも若干前方における外周部には、操作部としての操作突起５２がドア５０の径方向に沿って突設されている。操作突起５２は、スリット４０からケース１２の外側に露出されており、開口２０の閉塞状態では凸部４２の後方にわずかに離間して位置すると共にスリット４０の傾斜段部３８で前方へ開口した部分から操作可能とされている。この状態で操作突起５２の先端部が右壁１２Ｂの外面（ケース１２の外形領域）よりも突出しないように各部の寸法が決められている。
【００４５】
一方、操作突起５２は、開口２０の開放状態では、スリット４０の後縁に位置する凸部４６の前方にわずかに離間して位置するようになっている。なお、この状態で、操作突起５２の長手方向がケース１２の右壁１２Ｂ（矢印Ａ方向）と略直交するように各部の寸法が決められている。
【００４６】
そして、この操作突起５２露出用のスリット４０によってケース１２の内外が連通されるが、このスリット４０は、ケース１２内の略全高に亘るドア５０と該ドア５０を案内する凸部４２、４６とによって常時ほぼ閉塞され、かつ内壁としての遊動規制壁２８及びドア５０を案内する凸部４４によってリール１４の収容空間との間に迷路構造が形成されることにより、リール１４に巻装された磁気テープＴへの塵埃等の付着が防止されるようになっている。
【００４７】
また、ドア５０の後端近傍の内周部には、ばね保持部５４がドア５０の径方向に沿って突設されている。このばね保持部５４には、一端部が下ケース１８の底板１８Ｂから立設されたばね係止部５５に係止された付勢手段としてのコイルばね５６の他端部が係止保持されている。これにより、ドア５０は、コイルばね５６の付勢力によって開口２０の閉塞方向に付勢され、通常開口２０を閉塞する構成である。
【００４８】
以上説明したドア５０は、記録テープカートリッジ１０が矢印Ａ方向に沿ってドライブ装置へ装填される動作によって、図７（Ａ）乃至図７（Ｃ）に示される如く、操作突起５２がドライブ装置に固定されスリット４０の前方に開口した部分から進入する開閉部材５７に係合することでコイルばね５６の付勢力に抗してケース１２に対し移動し開口２０を開放し、ドライブ装置から排出される際にはコイルばね５６の付勢力によって開口２０を閉塞する構成である。そして、円弧状に湾曲形成されたドア５０は、その湾曲形状に沿った移動軌跡からはみ出すことなくリール１４及びピン台２４（リーダピン２２）の外側を回り込むように回動して開口２０を開閉するようになっている。
【００４９】
また、ケース１２の左端部における前後方向略中央部には、凹状のセルリテンションノッチ５８が設けられており、このセルリテンションノッチ５８が開口２０を開放する際にドライブ装置の係合部材と係合することで、操作突起５２と開閉部材５７との係合部位廻りに作用する回転モーメントを打ち消す構成である。これにより、ケース１２は矢印Ａ方向に対し傾斜することなくドライブ装置へ装填され、ドア５０がスムースに作動して開口２０を開放するようになっている。
【００５０】
なお、ドア５０は、凸部４２、４４等に案内される構成には限定されず、例えば、天板１６Ｂと底板１８Ｂとに設けられた上下一対の溝やガイドリブ（連続的に設けられ内部に溝が形成されるリブを含む）等によってガイドされても良い。（係合孔の構成）
さらに、ケース１２には、左右一対の係合孔６０、６２が設けられている。係合孔６０、６２は、記録テープカートリッジ１０がライブラリ装置９０のホルダ部９２（後述）に収容された状態で、係合爪１１０が入り込んで該ホルダ部９２内に記録テープカートリッジ１０を保持するための凹部（有底孔）である。
【００５１】
図４にも示される如く、下ケース１８の前後方向略中央部に設けられ案内面４８Ａが形成された凸部４８の外側には、右方（右壁１２Ｂの外面）及び上方（開口端側）に開口した凹部６４が設けられている。凹部６４の下底部は、右壁１２Ｂを構成する周壁１８Ａと複数（本実施の形態では２つ）のリブ６６とによって規定されている。
【００５２】
各リブ６６は、周壁１８Ａの内縁から凹部６４の側底面（左縁部）６４Ａに至っており、各リブ６６間及びリブ６６と凹部６４の前後壁部との間が肉抜き部６７とされている。各リブ６６の肉厚は、周壁１８Ａの板厚と同等以下となるように設定されている。なお、リブ６６の数は、凹部６４の開口幅（ケース１２前後方向における開口長さ）に応じて適宜決められる。
【００５３】
一方、上ケース１６の凸部４８における凹部６４に対応する位置には、開口幅が凹部６４の開口幅に対応すると共に左（奥）側の内縁の位置が凹部６４の側底面６４Ａに対応し、下方に開口した肉抜き孔６８が設けられている。肉抜き孔６８の底部は天板１６Ｂによって規定されている。
【００５４】
また、上ケース１６には、肉抜き孔６８の右側の縁部を規定する周壁１６Ａに沿って下方へ延設された閉塞部としての閉塞片７０が設けられている。閉塞片７０は、その幅が凹部６４の開口幅に対応すると共に周壁１６Ａからの突出高さが凹部６４の開口高よりも小とされており、凹部６４に入り込むと該凹部６４の上部（一部）を閉塞するようになっている。
【００５５】
さらに、閉塞片７０及び該閉塞片７０が設けられた周壁１６Ａの部分には、高さが肉抜き孔６８の底部（すなわち、天板１６Ｂ）から閉塞片７０下端部まで至る複数（本実施の形態では２つ）のリブ７２が、左方（ケース１２内方）へ向けて突設されている。各リブ７２の左端面は、肉抜き孔６８の左側の縁部に一致しており、閉塞片７０が凹部６４に入り込んだ状態では該凹部６４の側底面６４Ａに当接する構成である。これにより、下端部が下ケース１８に突き当てられない閉塞片７０の強度が確保されるようになっている。
【００５６】
上記の通り、上ケース１６と下ケース１８とをビス止めによって接合すると、周壁１６Ａと周壁１８Ａとが突き当てられると共に、上下の凸部４８が突き当てられる。そして、図６（Ａ)に示される如く、閉塞片７０が凹部６４に入り込んでその上部を閉塞することで、右壁１２Ｂの外面（右方、側方）にのみ開口した有底の係合孔６０が、周壁１６Ａと周壁１８Ａとの突き当て部（パーティングラインＰＬ）よりも下方に形成される構成である。すなわち、凹部６４に入り込んだ閉塞片７０の下端部が係合孔６０の上縁を規定する構成である。
【００５７】
また、図５にも示される如く、ケース１２の左壁１２Ｃ（周壁１６Ａ、１８Ａのうち、矢印Ａ方向に沿った左側の壁）を構成する下ケース１８の周壁１８Ａの内側には、遊動規制壁２８に連設された凸部７４が、凸部４８と対応する前後方向の位置に全高に亘って設けられている。この凸部７４の外側には、左方（右壁１２Ｂの外面）及び上方（開口端側）に開口した凹部７６が設けられている。凹部７６は、その下底部が周壁１８Ａとリブ６６によって規定され、凹部６４と同様に、その下方に肉抜き部６７が設けられている。
【００５８】
一方、上ケース１６の左壁１２Ｃを構成する周壁１６Ａの内側には、遊動規制壁２８に連設された凸部７８が全高に亘って設けられている。凸部７８は、その前端が凸部７４の前端と一致するが、前後方向の長さが凸部７４の対応する長さよりも大とされている。この凸部７８の外側には、上方及び左方に開口した上記セルリテンションノッチ５８が設けられている。セルリテンションノッチ５８は、本実施の形態では、その開口幅が凹部７６の開口幅よりも大きく、その左右方向の深さが凹部７６（係合孔６２）の対応する深さと略同等とされている。
【００５９】
また、上ケース１６には、周壁１６Ａに沿って下方へ延設された閉塞部としての閉塞片８０が凹部７６に対応する位置に設けられている。閉塞片８０は、その幅が凹部７６の開口幅に対応すると共に周壁１６Ａ（凸部７８）からの突出高さが凹部７６の開口高よりも小とされており、凹部７６に入り込むと該凹部７６の上部（一部）を閉塞するようになっている。
【００６０】
さらに、閉塞片８０の内面には、全高に亘る複数（本実施の形態では２つ）リブ８２が、左方（ケース１２内方）へ向けて突設されている。各リブ７２は、閉塞片８０が凹部７６に入り込んだ状態では該凹部７６の側底面７６Ａに当接する構成である。これにより、下端部が下ケース１８に突き当てられない閉塞片８０の強度が確保されるようになっている。
【００６１】
上記の通り、上ケース１６と下ケース１８とをビス止めによって接合すると、周壁１６Ａと周壁１８Ａとが突き当てられると共に、凸部７４と凸部７８とが突き当てられる。そして、図６（Ｂ）に示される如く、閉塞片８０が凹部７６に入り込んでその上部を閉塞することで、左壁１２Ｃの外面（左方、側方）にのみ開口した有底の係合孔６２が、周壁１６Ａと周壁１８Ａとの突き当て部（パーティングラインＰＬ）よりも下方に形成される構成である。すなわち、凹部７６に入り込んだ閉塞片８０の下端部が係合孔６０の上縁を規定する構成である。
【００６２】
そして、各係合孔６０、６２は、前壁１２Ａに対する前後方向の位置、底板１８Ｂに対する上下方向の位置、開口幅、開口高が互いに同一であり、下縁部の高さが後述する保持部材１１８の進入不能に決められると共に、上縁部の高さが後述する駆動ローラ１２２、１２４の進入不能に決められている。
【００６３】
以上説明したように、本実施の形態では、下ケース１８が本発明における「ベース部」に相当し、上ケース１６が本発明における「カバー部」に相当する。なお、各リブ７２、８２の肉厚は、周壁１６Ａの板厚と同等以下となるように設定されている。また、リブ７２、８２の数は、閉塞片７０の幅（凹部６４の開口幅に対応した長さ）に応じて適宜決められれば良い。
【００６４】
また、下ケース１８における各係合孔６０、６２の後方には、それぞれ係合凹部８４、８６が設けられている。係合凹部８４、８６は、それぞれケース１２の後端近傍のパーティングラインＰＬよりも下方において下方及び側方（右方または左方）に開口しており、後述する保持部材１１８が係脱可能とされている。
（ライブラリ装置の構成）
次に、上記記録テープカートリッジ１０が使用されるライブラリ装置９０の一例について、図８に基づいて概略構成を説明する。
【００６５】
図８に概略斜視図にて示される如く、ライブラリ装置９０は、それぞれ記録テープカートリッジ１０を収容可能な複数のホルダ部（マガジン）９２またはホルダ部９３を有する収容棚部９４と、１基または複数（本実施の形態では４基）のドライブ装置９６が設置された記録再生部９８と、記録テープカートリッジ１０の後端側部を把持可能なチャッキング機構１００を各ホルダ部９２と各ドライブ装置９６との間で移動可能な移動機構部１０２とを備えて構成されている。なお、ホルダ部９２、９３の内部構成については後述する。
【００６６】
このライブラリ装置９０では、使用される記録テープカートリッジ１０をチャッキング機構１００及び移動機構部１０２によってホルダ部９２から抜き出して記録再生部９８のドライブ装置９６へ装填し、使用後の記録テープカートリッジ１０をチャッキング機構１００及び移動機構部１０２によってドライブ装置９６から抜き出して収容棚部９４のホルダ部９２へ収容（装填）するようになっている。
【００６７】
これにより、複数（多数）収容した記録テープカートリッジ１０を自動的かつ高速でドライブ装置９６に着脱でき、大規模（大容量の）な情報バックアップシステムが構築されている。また、ライブラリ装置９０は、記録テープカートリッジ１０を含む複数種類の記録テープカートリッジを取り扱うようになっており、その種類に応じて仕様の異なるホルダ部９２等、ドライブ装置９６を備えて構成されている。
【００６８】
次に、記録テープカートリッジ１０を収容するホルダ部９２について図９に基づいて説明する。この図に示される如く、ホルダ部９２の内部には、前後方向の位置決め基準となるそれぞれ上下一対の位置決めストッパ１０４、１０６が最奥部に設けらている。右側（開口２０側）の位置決めストッパ１０４は、ケース１２の開口２０開放面に対応した傾斜部１０４Ａを備えており、左右方向の位置決め基準ともなる構成である。
【００６９】
また、ホルダ部９２の開口端近傍には、左右一対の揺動アーム１０８が設けられており、各揺動アーム１０８の先端にはそれぞれ係合爪１１０が設けられている。各係合爪１１０は、それぞれケース１２の係合孔６０、６２に係脱可能に形成されている。各揺動アーム１０８は、記録テープカートリッジ１０の挿入を検知する検知手段と連動する駆動手段によって揺動し、係合爪１１０を係合孔６０、６２に対し進退（係脱）させるようになっている。
【００７０】
このホルダ部９２を備えたライブラリ装置９０では、収容状態の記録テープカートリッジ１０（ケース１２）の後部がホルダ部９２の開口端から突出するようになっており、例えば、チャッキング機構１００はケース１２の後部を左右から把持する構成としても良く、チャッキング機構１００のチャック爪が外部に露出された係合凹部８４、８６に係合してケース１２を保持する構成としても良い。
【００７１】
なお、ホルダ部９２内における位置決めストッパ１０４（傾斜部１０４Ａ）、または、その近傍にはケース１２の開口２０開放面の傾斜角（接触の有無や距離等）を識別する識別手段が設けらており、該ホルダ部９２に対応しない記録テープカートリッジを収容するとチャッキング機構１００及び移動機構部１０２によって該記録テープカートリッジを排出させる信号を出力するようになっている。
【００７２】
次に、記録テープカートリッジ１０を収容するホルダ部９３について図１０に基づいて説明する。この図に示される如く、ホルダ部９３は、その奥壁１１２が前後方向の位置決め基準となると共に、奥壁１１２の近傍にケース１２の開口２０開放面に対応して傾斜配置された傾斜ストッパ１１４が左右方向位置決め基準となっている。
【００７３】
また、ホルダ部９３のテーパ状に間口が広げられた開口端近傍には、左右一対の板ばね１１６が設けられており、各板ばね１１６の先端にはそれぞれ保持部材１１８が設けられている。各保持部材１１８は、それぞれケース１２の係合凹部８４、８６に進退可能に形成されている。
【００７４】
各保持部材１１８は、それぞれ記録テープカートリッジ１０の挿入経路上の左右端に配置されており、記録テープカートリッジ１０が挿入される際にケース１２に当接すると板ばね１１６の変形によって上記挿入を許容し、ケース１２の前壁１２Ａが奥壁１１２に当接すると板ばね１１６の復元力によって係合凹部８４、８６内に進入する構成である。一方、記録テープカートリッジ１０を抜き出す際に所定値以上の抜き出し力が作用すると、該抜き出し力の一部が保持部材１１８の曲面状の外面によって保持部材１１８の係合凹部８４、８６からの退出方向の力に変換され、板ばね１１６が変形して保持部材１１８が係合凹部８４、８６から退出し、上記抜き出しを許容するようになっている。
【００７５】
このホルダ部９３は開口端側の中央部の上下が大きく切欠かれており、該ホルダ部９３を備えたライブラリ装置９０では、チャッキング機構が記録テープカートリッジ１０（ケース１２）の後部を上下から把持するようになっている。
【００７６】
なお、ホルダ部９３内における傾斜ストッパ１１４、または、その近傍にもケース１２の開口２０開放面の傾斜角（接触の有無や距離等）を識別する識別手段が設けらている。
【００７７】
また、ライブラリ装置９０には、チャッキング機構１００及び移動機構部１０２またはそれらの一部に代えて、図１１に示す送り機構１２０を備えたものがある。送り機構１２０は、例えば、収容棚部９４に設けられ、記録テープカートリッジ１０を挿入（収容）または排出するホルダ部９２またはホルダ部９３へ移動するようになっている。
【００７８】
送り機構１２０の内部には、それぞれ図示しない駆動機構によって回転駆動される複数の駆動ローラ１２２、１２４が左右に配設されており、右側の駆動ローラ１２２群がばね１２６によって内側へ付勢されている。この送り機構１２０は、記録テープカートリッジ１０（ケース１２）の一部が挿入されると、ばね１２６の付勢力によって駆動ローラ１２２、１２４をケース１２の右壁１２Ｂ、左壁１２Ｃに押し付けつつ回転力を伝達し、記録テープカートリッジ１０を駆動ローラ１２２、１２４の回転方向に応じた所望の方向（矢印Ａ方向または矢印Ａとは反対方向）に送る（搬送する）ようになっている。
【００７９】
以上説明した、ホルダ部９２の係合爪１１０、ホルダ部９３の保持部材１１８、送り機構１２０の駆動ローラ１２２、１２４の高さ方向の位置をケース１２の係合孔６０、６２との関係で見ると、図１２に示すようになっている。
【００８０】
具体的には、係合爪１１０は、上記の通り係合孔６０、６２に係脱可能な構成である。なお、係合爪１１０は、収容状態のケース１２後部を開口端から突出させるホルダ部９２の構造上、係合凹部８４、８６に入り込むことはない。
【００８１】
一方、保持部材１１８は、ケース１２の下方に開口した係合凹部８４、８６に対応し、その下端がケース１２の略下端と一致するように配置されている。そして、係合孔６０、６２の下端が周壁１８Ａで規定されていることにより、保持部材１１８は、板ばね１１６の復元力が作用しても周壁１８Ａに当接（摺動）し、係合孔６０、６２には入り込めないようになっている。
【００８２】
また、駆動ローラ１２２、１２４は、その上下端がケース１２の上記パーティングラインＰＬを挟んで位置しており、閉塞片７０、８０によって凹部６４、７６の上部を閉塞して形成されパーティングラインＰＬよりも下方に位置する係合孔６０、６２には入り込めないようになっている。また、駆動ローラ１２２は、パーティングラインＰＬよりも上方に位置するスリット４０にも入り込むことができない構成であり、操作突起５２の誤操作が防止されるようになっている。
【００８３】
次に、本実施の形態の作用について説明する。先ず、ホルダ部９２を備えたライブラリ装置９０における作用を説明する。
【００８４】
上記構成の記録テープカートリッジ１０は、図９に示される如く、係合孔６０、６２にそれぞれ係合爪１１０が入り込んだ状態で、ホルダ部９２に収容保持されている。この記録テープカートリッジ１０の使用の際には、揺動アーム１０８の揺動によって係合爪１１０が係合孔６０、６２との非係合位置へ移動する。そして、記録テープカートリッジ１０は、チャッキング機構１００に把持されつつ移動機構部１０２によってホルダ部９２から排出され、ドライブ装置９６へ装填される。
【００８５】
この装填動作（ドライブ装置９６との相対移動）に伴って、ドア５０の操作突起５２がドライブ装置９６内に固定された開閉部材５７に係合しつつケース１２に対し略後方へ移動する。すると、ドア５０は、その湾曲形状に沿った移動軌跡からはみ出すことなくリール１４及びピン台２４（リーダピン２２）の外側を回り込むように回動して開口２０を開放する。
【００８６】
そして、開放された開口２０からリーダピン２２が引き出されドライブ装置９６の巻取リールに誘導、保持される。この状態で巻取リールとリール１４とを同期して回転駆動すると、磁気テープＴは巻取リールに巻き取られつつケース１２から順次引き出され、所定のテープ経路に沿って配設された記録再生ヘッドによって情報の記録または再生が為される。
【００８７】
一方、磁気テープＴが全てリール１４に巻き戻され、リーダピン２２がピン台２４に保持されると、記録テープカートリッジ１０はドライブ装置９６から排出され、ドア５０はコイルばね５６の付勢力によって開口２０を閉塞する。
【００８８】
ドライブ装置９６から所定量排出された記録テープカートリッジ１０は、チャッキング機構１００に把持されつつ移動機構部１０２によってドライブ装置９６から抜き出され、ホルダ部９２へ挿入される。
【００８９】
記録テープカートリッジ１０（ケース１２）が位置決めストッパ１０４、１０６に当接して位置決めされると、揺動アーム１０８が作動され、係合爪１１０が係合孔６０、６２に入り込む。これにより、記録テープカートリッジ１０は、ホルダ部９２内で位置決め状態で保持される図９の状態に戻り、チャッキング機構１００による次回のチャッキングが正確に為される。
【００９０】
次にホルダ部９３を備えたライブラリ装置９０における作用について、上記作用と異なる部分を説明する。
【００９１】
記録テープカートリッジ１０は、図１０に示される如く、係合凹部８４、８６にそれぞれ保持部材１１８が入り込んだ状態で、ホルダ部９３に収容保持されている。この記録テープカートリッジ１０の使用の際には、チャッキング機構がケース１２の後部を上下から把持し、この状態で移動機構部１０２が後方（矢印Ａとは反対方向）に移動する（チャッキング機構１００を後方へ移動させる）。
【００９２】
すると、ケース１２には上記所定値以上の抜き出し力が作用し、板ばね１１６が変形して保持部材１１８が係合凹部８４、８６から退出する。これにより、保持部材１１８による記録テープカートリッジ１０の保持状態が解除され、記録テープカートリッジ１０は、チャッキング機構１００のさらなる後方への移動によってホルダ部９３から排出され、その後ドライブ装置９６に装填される。
【００９３】
一方、記録テープカートリッジ１０は、その使用後、チャッキング機構に上下から把持されつつ移動機構部１０２によってドライブ装置９６から抜き出され、ケース１２との当接による板ばね１１６の変形によってケース１２の移動経路上から退出した保持部材１１８と摺動しつつホルダ部９３へ挿入される。
【００９４】
このとき、係合孔６０、６２がそれぞれ保持部材１１８に対応する位置に達しても、該保持部材１１８は、係合孔６０、６２下方の周壁１８Ａによって該係合孔６０、６２への進入を阻止される。このため、記録テープカートリッジ１０は適正にホルダ部９３へ挿入されていく。
【００９５】
記録テープカートリッジ１０（ケース１２）が奥壁１１２、傾斜ストッパ１１４に当接して位置決めされると、係合凹部８４、８６がそれぞれ保持部材１１８に対応する位置に達し、各保持部材１１８は板ばね１１６の復元力によってそれぞれ係合凹部８４、８６に入り込む。これにより、記録テープカートリッジ１０は、ホルダ部９２内で位置決め状態で保持される図１０の状態に戻り、チャッキング機構による次回のチャッキングが正確に為される。
【００９６】
さらに、送り機構１２０を備えたライブラリ装置９０における作用について、該送り機構１２０によって記録テープカートリッジ１０をホルダ部９２へ挿入する場合を一例として、上記各作用と異なる部分を説明する。
【００９７】
送り機構１２０は、記録テープカートリッジ１０を収容するホルダ部９２の開口端に、一端側開口部を一致させる。この状態で、送り機構１２０の他端側開口部から記録テープカートリッジ１０の一部が挿入されると、駆動ローラ１２２、１２４が回転駆動される。左右の駆動ローラ１２２、１２４は、ばね１２６の付勢力によってケース１２をパーティングラインＰＬの部分において左右から押圧しつつ回転力を伝達し、矢印Ａ方向へ送り出す。
【００９８】
そして、係合孔６０、６２がそれぞれ各駆動ローラ１２２、１２４設置位置を通過しても、各駆動ローラ１２２、１２４は、係合孔６０、６２上方の閉塞片７０、８０によってそれぞれ該係合孔６０、６２への進入を阻止される。このため、記録テープカートリッジ１０は適正に送り機構１２０によってへ送り出され（搬送され）ていく。この送り出しに伴って、記録テープカートリッジ１０は、上記と同様にホルダ部９２へ挿入され、該ホルダ部９２に収容保持される。
【００９９】
なお、送り機構１２０の駆動ローラ１２２、１２４と同様の構成（上下方向の位置、形状）のガイドローラがホルダ部９２、９３内に設けられた構成（図示省略）のライブラリ装置９０においては、該ガイドローラはケース１２の係合孔６０、６２に入り込むことなく記録テープカートリッジを適正にガイドする。
【０１００】
ここで、下ケース１８に設けられた凹部６４、７６は、それぞれ上方に開口しているため、該下ケース１８にはアンダーカット部がなく、スライドコアを用いることなく下ケース１８を成形できる。また、上ケース１６に設けられそれぞれ凹部６４、７６の一部を閉塞する閉塞片７０、８０は、単に周壁１６Ａに沿って延設される構成のため、上ケース１６もアンダーカット部がなくスライドコアを用いることなく成形できる。
【０１０１】
このように、本実施の形態に係るケースの構造該適用された記録テープカートリッジ１０では、上ケース１６と下ケース１８との突き当て部であるパーティングラインＰＬよりも下方に位置しケース１２の周壁１８Ａ外面（右方または左方である側方）にのみ開口した係合孔６０、６２を、上ケース１６及び下ケース１８の何れにもアンダーカット部を設けることなく形成できる。
【０１０２】
また、上ケース１６に設けられた閉塞片７０、８０が凹部６４、７６の一部を閉塞するため、ケース１２の側方にのみ開口した係合孔６０、６２を所望の位置に所望の寸法形状で設けることができ設計の自由度（記録テープカートリッジ１０、ライブラリ装置９０、ドライブ装置９６それぞれの設計自由度）が向上する他、例えば、閉塞片７０、８０の形状を変更する（例えば、閉塞片７０の高さを変更したり、閉塞片７０にさらなる閉塞片を延設したりする）ことで係合孔６０、６２の開口高や開口幅（所定の基準部に対する位置）が変更可能である。すなわち、上ケース１６の金型を変更するのみで係合孔６０等の位置や寸法、形状を変更することもできる。
【０１０３】
さらに、各閉塞片７０、８０にそれぞれリブ７２、８２を設けたため、閉塞片７０、８０（すなわち、ケース１２）の強度が確保される。特に、リブ７２、８２がそれぞれ凹部６４、７６の側底面６４Ａ、７６Ａに当接するため、ケース１２の係合孔６０、６２周辺部分の強度が一層良好となる。
【０１０４】
さらにまた、本実施の形態では、係合孔６０、６２が周壁１８Ａの板厚よりもケース１２の左右方向に深い構成としたが、リブ７２、８２を設けることで上ケース１６には厚肉部分がなく、ケース１２のデザイン面である外面における引け（シンクマーク）の発生を防止できる。特に、ケース１２の左壁１２Ｃ側では、係合孔６２の上方にセルリテンションノッチ５８を配置したため、上ケース１６に肉抜き孔６８を設けることなく引けの発生を防止できる。
【０１０５】
一方、本実施の形態では、係合孔６０等の下縁部が底板１８Ｂの上面よりも高位である構成としたが、肉抜き部６７（リブ６６）を設けることで係合孔６０等の下方部分にも厚肉部分がなく、ケース１２のデザイン面である外面における引け（シンクマーク）の発生を防止できる。すなわち、リブ６６を設けた構成とすることで、ケースの外面に引けを生じることなく、かつ、金型構造を複雑化することなく（例えば、引けを防止するために下ケース１８内側における凹部６４下方に別個のアンダーカット部を設けることなく）、上下方向における所望の位置に所望深さ（ケース１２外面から側底面６４Ａ、７６Ａまでの深さ）の係合孔６０、６２を得ることができる。また、リブ６６を残して肉抜き部６７を設けることで、ケース１２の強度も確保できる。
【０１０６】
また、凹部６４、７６の開口幅に対応した幅の閉塞片７０、８０が該凹部６４、７６に入り込んで（嵌合して）ケース１２が形成されるため、例えば、落下等によってケース１２に衝撃が加えられても、該凹部６４、７６と閉塞片７０、８０とが互いに干渉し合ってケース１２の捩れ等の変形を抑制し、パーティングラインＰＬ（周壁１６Ａ、１８Ａ間）の隙間等の発生が抑制される。特に、本実施の形態では、閉塞片７０、８０に設けられ側底面６４Ａ、７６Ａに当接するリブ７２、８２を備えているため、上記落下時には閉塞片７０、８０と側底面６４Ａ、７６Ａとが互いに干渉し合い、落下等によるパーティングラインＰＬ（周壁１６Ａ、１８Ａ間）の隙間等の発生が一層好適に抑制される。
【０１０７】
なお、上記の実施の形態では、上下の凸部４８を突き当てて、または凸部７４と凸部７８とを突き当てて、係合孔６０、６２を形成する構成としたが、本発明はこれに限定されず、例えば、図１３及び図１４に示される如き第１変形例に係る構成としても良い。
【０１０８】
図１３には、ケース１２の右壁１２ＢにパーティングラインＰＬよりも下方に形成される第１変形例に係る係合孔１３０の構造が図４に対応する分解斜視図にて示されている。また、図１４には、係合孔１３０の構造が図６（Ａ）に対応する断面図にて示されている。
【０１０９】
これらの図に示される如く、係合孔１３０は、下ケース１８の内方に突設された凸部１３２の外側に設けられ側底面６４Ａとリブ６６と肉抜き部６７とが設けられた凹部６４の一部が、上ケース１６周壁１６Ａに沿って延設されリブ７２を有する閉塞片７０によって閉塞されて構成される点で、上記実施の形態と共通する。一方、上ケース１６には凸部１３２と突き当てられる部分がない点で、上記実施の形態と相違する。
【０１１０】
すなわち、係合孔１３０は、上ケース１６と下ケース１８とをビス止めによって接合すると、周壁１６Ａと周壁１８Ａとが突き当てられ、閉塞片７０が凹部６４に入り込んでその一部を閉塞することで形成される。
【０１１１】
本第１変形例に係る構成によっても、上記実施の形態と全く同様の効果が得られる他、上ケース１６の構造（金型）が簡単となる。但し、上ケース１６側には凸部１３２と突き当てられる部分がないため、ケース１２内に塵埃等が侵入する経路が形成される。このため、係合孔１３０は、遊動規制壁２８によってリール１４が配設される空間と仕切られたケース１２の部分に設けることが好ましい。
【０１１２】
また、上記の実施の形態では、凹部６４、７６の下底部に設けられた肉抜き部６７が上方に開口した構成としたが、本発明はこれに限定されず、例えば、図１５及び図１６に示される如き第２変形例に係る構成としても良い。
【０１１３】
図１５（Ａ）に示される如く、凹部６４の下底部は平坦面とされており、下ケース１８の凹部６４下方の部分には、下方及び側方（本第２変形例では右方）に開口した肉抜き用のスリット１３６が複数（本第２変形例では２つ）設けられている。スリット１３６に挟まれた部分がリブ１３８とされており、リブ１３８の肉厚は周壁１８Ａの板厚と同等以下とされている。
【０１１４】
一方、図１５（Ｂ）に示される如く、凹部７６の下底部は平坦面とされており、下ケース１８の凹部７６下方の部分には、下方及び左方に開口した肉抜き用のスリット１３６が複数（本第２変形例では３つ）設けられている。スリット１３６に挟まれた部分がリブ１３８とされており、リブ１３８の肉厚は周壁１８Ａの板厚と同等以下とされている。
【０１１５】
本第２変形例に係る構成によっても、上記実施の形態と全く同様の効果が得られる。特に、図１６（Ａ）及び図１６（Ｂ）に示される如く、下ケース１８の凹部６４、７６下方の部分は、アンダーカット部を設けることなく厚肉化が防止され、上下方向における所望の位置に左右方向の所望深さの係合孔６０、６２（１３０）を得ることができる。また、リブ１３８によって、ケース１２の強度が確保されると共に、ケース１２の外側に開口した肉抜き部へのドライブ装置９６やライブラリ装置９０の部材の誤挿入等が阻止される。
【０１１６】
なお、本第２変形例において、例えば、凹部６４、７６下方のスリット１３６が１つであっても（リブ１３８を設けず、例えば、スリット１３６の底面をケース１２のドライブ装置９６内における高さ方向の位置決め基準面としても）良いが、本第２変形例にかかる構成では、リブ１３８によって、ケース１２の強度が確保されると共に、ケース１２の外側に開口した肉抜き部へのドライブ装置９６やライブラリ装置９０の部材の誤挿入等が阻止される。
【０１１７】
なお、上記の実施の形態及び各変形例では、ライブラリ装置９０の係合爪１１０が入り込む係合孔６０、６２、１３０を備えた構成としたが、本発明はこれに限定されず、凹部６４、７６と閉塞片７０、８０とで形成される有底孔（凹部）が如何なる用途に用いられても良いことは言うまでもない。したがって、凹部６４等と閉塞片７０等とで形成される有底孔の設置位置や寸法形状にも限定はなく、例えば、凹部６４を上ケース１６に設けると共に閉塞片７０を下ケース１８に設けても（上ケース１６をベース部とすると共に下ケース１８をカバー部としても）良く、凹部７６と閉塞片８０とで形成される有底孔がケース１２の前壁１２Ａに設けらても良い。
【０１１８】
また、上記の実施の形態及び各変形例では、下ケース１８の凹部６４等と上ケース１６の閉塞片７０等とによって係合孔６０等を形成する構造が、上記構成の記録テープカートリッジ１０に適用された好ましい例を示したが、本発明はこれに限定されず、係合孔６０等の構造が如何なる形式の記録テープカートリッジに適用されても良いことは言うまでもない。したがって、例えば、記録テープカートリッジ１０は、開口２０がケース１２の前壁１２Ａや右壁１２Ｂに設けられていても良く、このような開口２０は、平板状のドア５０の直線的なスライドや支軸廻りの回動によって開閉されても良く、磁気テープＴの先端に接続されドライブ装置の引出手段に操作されるリーダブロックによって開閉されても良い。また、記録テープが磁気テープＴに限定されないことはいうまでもない。
【０１１９】
さらに、下ケース１８の凹部６４等と上ケース１６の閉塞片７０等とによって係合孔６０等を形成する本発明におけるケースの構造は、単一のリール１４を備えた所謂シングルリールの記録テープカートリッジ１０に適用される構成に限定されず、如何なる用途のケースに適用しても良い。したがって、例えば、上記ケースの構造は、巻き出し用及び巻取り用の２つのリール１４を収容する２リールの記録テープカートリッジ、円盤状のディスクメディア（磁気ディスク、光ディスク、光磁気ディスク等）を回転可能に収容するディスクカートリッジに適用することもできる。また、周壁１６Ａと周壁１８Ａとが同等の高さである構成に限定されることはなく、上ケース１６及び下ケース１８の何れか一方（カバー部に相当する部材）には周壁を設けない構成としても良い。
【０１２０】
さらにまた、上記の実施の形態及び各変形例では、閉塞片７０、８０の内面にそれぞれリブ７２、８２を突設した好ましい構成としたが、本発明はこれに限定されず、閉塞片７０等がリブ７２等を備えない構成としても良いことは言うまでもない。特に、係合孔６０等のケース１２外面から側底面６４Ａ等までの深さが周壁１８Ａの板厚と同等以下の構成では、閉塞片７０等を側底面６４Ａ等に直接当接させれば、ケース１２のデザイン面に引けを生じることなくケース１２の強度を確保できると共に、落下衝撃等によるパーティングラインＰＬの隙間の発生も好適に抑制される。
【０１２１】
【発明の効果】
以上説明したように、本発明に係るケースは、ベース部の周壁にカバー部との接合部位と離間して設けられ該周壁の外面にのみ開口する凹部を、ベース部にアンダーカット部を設けることなく形成できるという優れた効果を有する。
【図面の簡単な説明】
【図１】本発明の実施の形態に係るケースの構造が適用された記録テープカートリッジの全体構成を示す斜視図である。
【図２】本発明の実施の形態に係るケースの構造が適用された記録テープカートリッジの全体構成を示す別方向から見た斜視図である。
【図３】本発明の実施の形態に係るケースの構造が適用された記録テープカートリッジの分解斜視図である。
【図４】本発明の実施の形態に係るケースの構造が適用された記録テープカートリッジの右側の係合孔を構成する凹部と閉塞片とを示す分解斜視図である。
【図５】本発明の実施の形態に係るケースの構造が適用された記録テープカートリッジの左側の係合孔を構成する凹部と閉塞片とを示す分解斜視図である。
【図６】本発明の実施の形態に係るケースの構造が適用された記録テープカートリッジを構成する係合孔を示す図であって、（Ａ）は上記右側の係合孔を示す断面図、（Ｂ）は上記左側の係合孔を示す断面図である。
【図７】本発明の実施の形態に係るケースの構造が適用された記録テープカートリッジの開口の開放過程を示す上ケースを取り除いて見た図であって、（Ａ）はドアの操作突起へのドライブ装置の開閉部材の係合初期状態を示す平面図、（Ｂ）は開口の開放途中を示す平面図、（Ｃ）は開口の開放完了状態を示す平面図である。
【図８】本発明の実施の形態に係るケースの構造が適用された記録テープカートリッジが使用されるライブラリ装置の概略全体構成を示す斜視図である。
【図９】本発明の実施の形態に係るケースの構造が適用された記録テープカートリッジがライブラリ装置のホルダ部に収容された状態を示す一部切り欠いた平面図である。
【図１０】本発明の実施の形態に係るケースの構造が適用された記録テープカートリッジがライブラリ装置の別のホルダ部に収容された状態を示す一部切り欠いた平面図である。
【図１１】本発明の実施の形態に係るケースの構造が適用された記録テープカートリッジを搬送するライブラリ装置の送り機構を示す平面図である。
【図１２】本発明の実施の形態に係るケースの構造が適用された記録テープカートリッジと、ライブラリ装置の係合爪、保持部材、駆動ローラとの高さ方向の関係を示す概略側面図である。
【図１３】本発明の実施の形態に係るケースの構造が適用された記録テープカートリッジの変形例に係る係合孔を構成する凹部と閉塞片とを示す分解斜視図である。
【図１４】本発明の実施の形態に係るケースの構造が適用された記録テープカートリッジの変形例に係る係合孔を示す断面図である。
【図１５】本発明の実施の形態に係るケースの構造が適用された記録テープカートリッジを構成する下ケースの肉抜き構造の変形例を示す図であって、（Ａ）はケースの右側部分を示す斜視図、（Ｂ）はケースの左側部分を示す斜視図である。
【図１６】本発明の実施の形態に係るケースの構造が適用された記録テープカートリッジを構成する下ケースの肉抜き構造の変形例が適用された係合孔を示す図であって、（Ａ）は上記右側の係合孔を示す断面図、（Ｂ）は上記左側の係合孔を示す断面図である。
【符号の説明】
１０    記録テープカートリッジ
１２    ケース
１４    リール
１６    上ケース（カバー部）
１８    下ケース（ベース部）
１８Ａ  周壁（ベース部の周壁）
６４    凹部
７０    閉塞片（閉塞部）
７６    凹部
８０    閉塞片（閉塞部）
【図１】
0004150189.tif 000002
【図２】
0004150189.tif 000003
【図３】
0004150189.tif 000004
【図４】
0004150189.tif 000005
【図５】
0004150189.tif 000006
【図６】
0004150189.tif 000007
【図７】
0004150189.tif 000008
【図８】
0004150189.tif 000009
【図９】
0004150189.tif 000010
【図１０】
0004150189.tif 000011
【図１１】
0004150189.tif 000012
【図１２】
0004150189.tif 000013
【図１３】
0004150189.tif 000014
【図１４】
0004150189.tif 000015
【図１５】
0004150189.tif 000016
【図１６】
0004150189.tif 000017